(57)【要約】【課題】フックに対するワイヤーなどの索状体の係脱を手間取らずに簡単に行なえるようにした吊り下げ装置を提供する。【解決手段】下面に開口部２が形成され、この開口部２の両側に長手方向に沿って係合片３を備え、建物の壁面に沿って取り付けられる吊り下げレール１と、この吊り下げレール１に上端の頭部５が係合する吊り下げ具４とを備えた吊り下げ装置であって、吊り下げ具４はＵ状に折り曲げたフック部７を下端に備え、フック部７の上端部におけるフック部７の根元部に索状体１０の外れ防止具９を取り付けるようにし、外れ防止具９は弾性材料で作られて一端側がフック部７の根元部に嵌合支持され、他端側はやや下向きとなっており、外れ防止具９をフック部７の根元部で停止させた状態において外れ防止具９の他端側における先端部９ｂはフック部７の先端部の内面に当接するように構成されている。【選択図】図４
0003143112.tif 000002
【実用新案登録請求の範囲】
【請求項１】
下面もしくは正面に開口部が形成され、この開口部の両側に長手方向に沿って係合片を備え、建物の壁面に沿って取り付けられる吊り下げレールと、この吊り下げレールに上端の頭部が係合して吊り下げレールの長さ方向の適当な位置で停止させるようにした吊り下げ具とを備えた吊り下げ装置であって、吊り下げ具はＵ状に折り曲げたフック部を下端に備え、フック部にワイヤーなどの索状体の外れ防止具を取り付けるようにし、外れ防止具は弾性材料で作られて一端側がフック部の根元部もしくは先端部に嵌合支持され、他端側はやや下向きとなっており、外れ防止具をフック部の根元部もしくは先端部で停止させた状態において外れ防止具の他端側における先端部はフック部の先端部の内面もしくは根元部内面に当接するように構成されていることを特徴とする吊り下げ装置。
【請求項２】
外れ防止具は弾性樹脂材料で作られてフック部の先端部より差し込まれるように一端側にフック部の外径より僅かに小径の孔部が形成され、フック部の根元部もしくは先端部に前記孔部の内面が密着し、外れ防止具をフック部の根元部もしくは先端部で停止させた状態において外れ防止具の先端部上面はフック部の先端部の内面もしくは根元部の内面に鋭角で当接するように構成されていることを特徴とする請求項１記載の吊り下げ装置。
【請求項３】
一端側にフック部の外径より僅かに小径の孔部が形成された外れ防止具の他端側は先端側ほど厚みが薄く、やや下向きとなっていることを特徴とする請求項２記載の吊り下げ装置。
【考案の詳細な説明】
【技術分野】
【０００１】
本考案は、例えば絵画の額縁などを壁面に吊るすために用いられる吊り下げ装置に関するものである。
【背景技術】
【０００２】
従来のこの種吊り下げ装置としては、例えば特許文献１に開示されているように、壁に水平方向に取り付けるコ字形状の吊り下げレールと、その吊り下げレールに着脱自在に取り付ける吊り下げ具より成り、上記吊り下げレールの下板の前面側に前縁を形成し、上記吊り下げ具を係合部とその係合部下端に設けたフックにより構成し、上記係合部の係合爪を上記吊り下げレールの前縁と後板の間に嵌合させた吊り下げ装置において、２個の弾性リングをブリッジにより連結することにより２連リングを形成し、その２連リングの一方のリングを上記フックの根元部に挿入し、かつ、他方のリングを上記フックの先端部に挿入するようにしたものである。
【特許文献１】特開平９−２３９５９号公報
【考案の開示】
【考案が解決しようとする課題】
【０００３】
上記特許文献１に記載の吊り下げ装置の構成では、２連リングの一方のリングをフックの根元部に挿入し、かつ、他方のリングをフックの先端部に挿入するようにしてあり、フックに掛けられた吊り下げ用のワイヤーが振動などによりフックから外れるのを防止しようとするものであるが、ワイヤーをフックに掛けるとき、およびワイヤーをフックから外す度に前記他方のリングをフックの先端部から外さなければならず、作業が面倒であるという問題があった。
【０００４】
本考案の目的は、このような課題を解決するものであり、フックに対するワイヤーなどの索状体の係脱を手間取らずに簡単に行なえるようにした吊り下げ装置を提供することにある。
【課題を解決するための手段】
【０００５】
本考案の請求項１に記載の吊り下げ装置は、下面もしくは正面に開口部が形成され、この開口部の両側に長手方向に沿って係合片を備え、建物の壁面に沿って取り付けられる吊り下げレールと、この吊り下げレールに上端の頭部が係合して吊り下げレールの長さ方向の適当な位置で停止させるようにした吊り下げ具とを備えた吊り下げ装置であって、吊り下げ具はＵ状に折り曲げたフック部を下端に備え、フック部にワイヤーなどの索状体の外れ防止具を取り付けるようにし、外れ防止具は弾性材料で作られて一端側がフック部の根元部もしくは先端部に嵌合支持され、他端側はやや下向きとなっており、外れ防止具をフック部の根元部もしくは先端部で停止させた状態において外れ防止具の他端側における先端部はフック部の先端部の内面もしくは根元部内面に当接するように構成されていることを特徴とする。
【０００６】
請求項２に記載の吊り下げ装置は、外れ防止具は弾性樹脂材料で作られてフック部の先端部より差し込まれるように一端側にフック部の外径より僅かに小径の孔部が形成され、フック部の根元部もしくは先端部に前記孔部の内面が密着し、外れ防止具をフック部の根元部もしくは先端部で停止させた状態において外れ防止具の先端部上面はフック部の先端部の内面もしくは根元部の内面に鋭角で当接するように構成されていることを特徴とする。
【０００７】
請求項３に記載の吊り下げ装置は、一端側にフック部の外径より僅かに小径の孔部が形成された外れ防止具の他端側は先端側ほど厚みが薄く、やや下向きとなっていることを特徴とする。
【考案の効果】
【０００８】
以上のように、本考案の吊り下げ装置は、ワイヤーなどの索状体の外れ防止具は弾性材料で作られて、一端側がフック部の根元部もしくは先端部に嵌合して支持され、他端側における先端部はフック部の先端部もしくは根元部の内面に当接するように構成されているので、索状体をフック部に掛けるとき、外れ防止具の先端部とフック部の先端部との当接部より索状体を下方に引っ張ることにより外れ防止具の先端部を押し下げて外れ防止具の先端部とフック部の先端部との当接部を乗り越えて索状体を外れ防止具の下側でフック部に引っ掛けることができ、かかる状態で索状体が振動などにより浮き上がってフック部から外れようとしても外れ防止具の先端部とフック部が当接して外れ防止具によりフック部の上端を閉じているので、フック部から索状体が外れるのを防止することができる。また、吊り下げ具のフック部から索状体を外す場合は、外れ防止具の先端部を指で押し下げるか、あるいは外れ防止具を先端部とフック部との間に隙間が形成されるようにフック部に対して横に回転させるなどして外れ防止具の先端部とフック部との間に隙間を作ることにより、この隙間より索状体を上方に引き抜くことができる。つまり、フックに対するワイヤーなどの索状体の係脱を手間取らずに簡単に行なえるようにした吊り下げ装置を提供することができる。
【考案を実施するための最良の形態】
【０００９】
以下、本考案の実施の形態を、図面を用いて具体的に説明する。
先ず、図１〜図４に示す第１の実施の形態について説明すると、１は下面に開口部２が形成され、この開口部２の両側に長手方向に沿って係合片３，３を備え、建物の天井の近傍における壁面に沿って取り付けられる金属製の吊り下げレールで、この吊り下げレール１には金属製の吊り下げ具４の上端の頭部５が嵌入して頭部５の下端の両側段部５ａ，５ａが前記係合片３，３に係合し、吊り下げレール１の長さ方向の適当な位置で吊り下げ具４を停止させて頭部５の下側に設けられた金属製の締め付け具６を締め付けて締め付け具６と頭部５との間で係合片３，３を上下から挟み、吊り下げ具４の位置固定を行なうものである。なお、前記頭部５は吊り下げ具４を正面から見た場合、左右の幅が前記開口部２の幅よりも小さく、吊り下げ具４を側面から見た場合、左右の幅が前記開口部２の幅よりも大きくなるように形成され、頭部５を吊り下げレール１に嵌め込むときは吊り下げレール１の長さ方向に対して吊り下げ具４を正面に向けて頭部５を吊り下げレール１に嵌め込み、その状態で吊り下げ具４を９０度回転させて吊り下げレール１の長さ方向に対して吊り下げ具４を側面に向けるようにする。これにより頭部５は下端の両側段部５ａ，５ａが吊り下げレール１の係合片３，３に載り、かかる状態で前記締め付け具６を回して締め付け、締め付け具６と頭部５との間で係合片３，３を上下から挟むようにするものである。ところで、前記吊り下げ具４はＵ状に折り曲げたフック部７を下端に備えた金属製の吊り下げ棒８と、この吊り下げ棒８の上端近傍に形成された雄ねじ部８ａに螺合するように中心に雌ねじ孔６ａを備えた前記締め付け具６と、この雄ねじ部８ａに雌ねじ孔６ａが螺合する締め付け具６の上側で吊り下げ棒８の上端に固着された前記頭部５とから構成される。詳しくは、前記頭部５の下面には前記締め付け具６の上面より窪むように形成された凹部６ｂに嵌入する凸部５ｂが一体に設けられている。また、前記Ｕ状のフック部７は斜め上向きに形成されており、フック部７の上端部におけるフック部７の根元部に弾性合成樹脂材料からなるワイヤーなどの索状体の外れ防止具９を取り付けるようにする。前記外れ防止具９はフック部７の先端部より差し込まれるように一端側にフック部７の根元部の外径より僅かに小径の孔部９ａが形成され、他端側は先端側ほど厚みが薄く、やや下向きとなっている。そして、この外れ防止具９は前記フック部７の先端部より差し込まれてフック部７の根元部まで押し込まれる。この外れ防止具９の孔部９ａの内径はフック部７の根元部の外径より僅かに小さく形成されているので、フック部７の根元部に孔部９ａの内面が密着し、外れ防止具９をフック部７の根元部で停止させておくことができる。そして、この状態において外れ防止具９の厚みが徐々に薄くなってやや下向きの先端部９ｂはフック部７の先端部の内面に当接するように構成されている。
【００１０】
上記構成において、絵画の額縁などを建物内の壁面に吊るす場合、先ず前記頭部５を吊り下げレール１に係合させて締め付け具６の締め付けにより吊り下げ具４を位置決めし、かかる状態でフック部７の先端部より絵画の額縁などを吊るすワイヤーなどの索状体１０をフック部７に引っ掛ける。そのとき、外れ防止具９の先端部９ｂはフック部７の先端部内面に当接しているのであるが、外れ防止具９の先端側はやや下向きとなっていることから、外れ防止具９の先端部９ｂは上面がフック部７の先端部内面に鋭角で当接することになり、この両者の当接部より索状体１０を下方に引っ張ることにより外れ防止具９の先端部９ｂを押し下げて外れ防止具９の先端部９ｂとフック部７の先端部との当接部を乗り越えて索状体１０は外れ防止具９の下側でフック部７に引っ掛かる。
【００１１】
かかる状態で絵画の額縁などは吊り下げられるのであるが、索状体１０が振動などにより浮き上がってフック部７から外れようとしても外れ防止具９の先端部９ｂとフック部７の先端部が当接して外れ防止具９によりフック部７の上端を閉じているので、フック部７から索状体１０が外れるのを防止することができる。
【００１２】
ところで、吊り下げ具４のフック部７から索状体１０を外す場合は、外れ防止具９の先端部９ｂを指で押し下げるか、あるいは外れ防止具９を先端部９ｂとフック部７の先端部との間に隙間が形成されるようにフック部７に対して横に例えば３０〜４５度回転させるなどして外れ防止具９の先端部９ｂとフック部７の先端部との間に隙間を作り、この隙間より索状体１０を上方に引き抜けば良い。
【００１３】
以上、第１の実施の形態について説明したが、次に図５〜図７に示す第２の実施の形態について説明する。この第２の実施の形態では吊り下げ具４の上端の頭部５に前記吊り下げレール１の係合片３，３とスライド自在に係合する水平方向の溝１１を備えていること、前記締め付け具を備えていないこと、Ｕ状のフック部７は真上向きに形成されていることで第１の実施の形態とは異なっている。他の構成、即ちフック部７に前述の外れ防止具９を装着したことは第１の実施の形態と同様である。
【００１４】
次に図８〜図１０に示す第３の実施の形態について説明する。この第３の実施の形態では第１の実施の形態で用いた吊り下げレール１を開口部２が正面に向くように取り付け、第１の実施の形態で用いた吊り下げ具４の吊り下げ棒８の上端を直角に折り曲げた吊り下げ具４を用いた点で第１の実施の形態とは異なっている。他の構成、即ちフック部７に前述の外れ防止具９を装着したことは第１の実施の形態と同様である。
【００１５】
次に図１１〜図１３に示す第４の実施の形態について説明する。この第４の実施の形態では吊り下げレール１を開口部２が正面に向くように取り付け、第２の実施の形態で用いた吊り下げ具４の吊り下げ棒８の上端に前記吊り下げレール１の係合片３，３とスライド自在に係合する鉛直方向の溝１１を備えた頭部５を設けた点で第２の実施の形態とは異なっている。他の構成、即ちフック部７に前述の外れ防止具９を装着したことは第２の実施の形態と同様である。
【００１６】
上記のように何れの実施の形態においても吊り下げ棒８の下端のフック部７にワイヤーなどの索状体１０の外れ防止具９を装着してあり、この外れ防止具９は一端側にフック部７の外径より僅かに小径の孔部９ａが形成され、他端側は先端側ほど厚みが薄く、やや下向きに作られているが、図１４に示す第５の実施の形態のように弾性合成樹脂材料からなる厚みが均一で一端側にフック部７の外径より僅かに小径の孔部９ａが形成された外れ防止具９を用いることも可能である。この場合、外れ防止具９の他端側である先端部９ｂは上面がフック部７の先端部内面に鋭角で当接するように作られている。
【００１７】
また、上記何れの実施の形態においても外れ防止具９はフック部７の根元部に嵌合支持されてフック部７の根元部で停止させるように取り付けられているが、図１５に示す第６の実施の形態のように外れ防止具９をフック部７の先端部に嵌合支持してフック部７の根元部で停止させるように取り付けるようにしても良く、この場合外れ防止具９の先端部９ｂは上面がフック部７の根元部内面に鋭角で当接するようになる。なお、この第６の実施の形態における外れ防止具９は第１〜第４の実施の形態で用いた外れ防止具９を用いているが、第５の実施の形態で用いた外れ防止具９を用いても良い。
【００１８】
さらに、上記した外れ防止具９は弾性合成樹脂材料から作られているが、この外れ防止具９と同じ役目を果すものであれば、弾性合成樹脂材料に限定されず、他の材料、例えばゴムなどの弾性天然樹脂材料や板ばねなどの弾性材料から構成することも可能である。
【図面の簡単な説明】
【００１９】
【図１】本考案の第１の実施の形態における吊り下げ装置の吊り下げレールと吊り下げ具を離して側方から見た一部切り欠き側面図である。
【図２】同吊り下げ装置に使用される外れ防止具の斜視図である。
【図３】同吊り下げ装置に使用される吊り下げ具の斜視図である。
【図４】同吊り下げ装置の吊り下げレールに吊り下げ具を取り付けた状態を側方から見た側面図である。
【図５】本考案の第２の実施の形態における吊り下げ装置の吊り下げレールと吊り下げ具を離して側方から見た側面図である。
【図６】同吊り下げ装置に使用される吊り下げ具の斜視図である。
【図７】同吊り下げ装置の吊り下げレールに吊り下げ具を取り付けた状態を側方から見た側面図である。
【図８】本考案の第３の実施の形態における吊り下げ装置の吊り下げレールと吊り下げ具を離して側方から見た側面図である。
【図９】同吊り下げ装置に使用される吊り下げ具の斜視図である。
【図１０】同吊り下げ装置の吊り下げレールに吊り下げ具を取り付けた状態を側方から見た側面図である。
【図１１】本考案の第４の実施の形態における吊り下げ装置の吊り下げレールと吊り下げ具を離して側方から見た側面図である。
【図１２】同吊り下げ装置に使用される吊り下げ具の斜視図である。
【図１３】同吊り下げ装置の吊り下げレールに吊り下げ具を取り付けた状態を側方から見た側面図である。
【図１４】本考案の第５の実施の形態における別の外れ防止具の使用例を示す側面図である。
【図１５】本考案の第６の実施の形態における外れ防止具の取り付け状態を変えた例を示す側面図である。
【符号の説明】
【００２０】
１      吊り下げレール
２      開口部
３      係合片
４      吊り下げ具
５      頭部
５ａ    段部
５ｂ    凸部
６      締め付け具
６ａ    雌ねじ孔
６ｂ    凹部
７      フック部
８      吊り下げ棒
８ａ    雄ねじ部
９      外れ防止具
９ａ    孔部
９ｂ    先端部
１０      索状体
１１      溝
【図１】
0003143112.tif 000003
【図２】
0003143112.tif 000004
【図３】
0003143112.tif 000005
【図４】
0003143112.tif 000006
【図５】
0003143112.tif 000007
【図６】
0003143112.tif 000008
【図７】
0003143112.tif 000009
【図８】
0003143112.tif 000010
【図９】
0003143112.tif 000011
【図１０】
0003143112.tif 000012
【図１１】
0003143112.tif 000013
【図１２】
0003143112.tif 000014
【図１３】
0003143112.tif 000015
【図１４】
0003143112.tif 000016
【図１５】
0003143112.tif 000017